(57)【要約】      （修正有）【課題】柱や壁のコーナー部にも容易に貼り付けることができ、また煉瓦積みの場合の位置決めを容易に行うことができる皮革製タイルの貼付用キットを提供する。【解決手段】皮革用タイルの貼付用キット１は、皮革又は合成皮革からなるコーナー用タイル２と、コーナー用タイルの裏面に接着される固着シート材３と、皮革又は合成皮革からなるタイル本体４ａの裏面に固着シート４ｂが接着された平面用タイル４と、コーナー用タイルが曲げられた状態で、コーナー用タイルの一端に係止する第１係止部９と他端に係止する第２係止部１０を有する曲げ保持具５とを備える。【選択図】図１
0003213704.tif 000002
【実用新案登録請求の範囲】
【請求項１】
皮革又は合成皮革からなるコーナー用タイルと、
前記コーナー用タイルの裏面に接着される固着シート材と、
皮革又は合成皮革からなるタイル本体の裏面に固着シートが接着された平面用タイルと、
前記コーナー用タイルが曲げられた状態で、前記コーナー用タイルの一端に係止する第１係止部と他端に係止する第２係止部を有する曲げ保持具と
を備えることを特徴とする皮革製タイルの貼付用キット。
【請求項２】
前記コーナー用タイルの裏面の縦の中心線上又は当該中心線と平行に少なくとも１つの弱め溝が形成されていることを特徴とする請求項１に記載の皮革製タイルの貼付用キット。
【請求項３】
前記曲げ保持具は、Ｌ字形で、一端に前記第１係止部が設けられ、他端に前記第２係止部が設けられていることを特徴とする請求項１又は２に記載の皮革製タイルの貼付用キット。
【請求項４】
前記曲げ保持具の少なくとも一部が、前記コーナー用タイルが貼り付けられる箇所のコーナー部に倣って塑性変形可能な板金を有することを特徴とする請求項１から３のいずれかに記載の皮革製タイルの貼付用キット。
【請求項５】
前記平面用タイルの裏面又は端面の中心線上に位置決めマーキングが設けられていることを特徴とする請求項１から４のいずれかに記載の皮革製タイルの貼付用キット。
【請求項６】
前記平面用タイルを煉瓦積みするときに前記平面用タイルを位置決めする位置決め具をさらに備えることを特徴とする請求項１から５のいずれかに記載の皮革製タイルの貼付用キット。
【請求項７】
前記位置決め具は、基部と、前記基部の裏面に形成され、上段と下段の前記平面用タイルの間の隙間と同じ高さの水平に延びる突条とからなり、前記基部の表面に、前記平面用タイルの横寸法の１／２の間隔の２つの位置決め線が設けられていることを特徴とする請求項６に記載の皮革製タイルの貼付用キット。
【請求項８】
前記位置決め具は、水平方向に延びる第１部分と、前記第１部分の下側に垂直方向に延びる第２部分と、前記第１部分の上側に垂直方向に延びる第３部分とが設けられ、
前記第１部分は上段と下段の前記平面用タイルの間の隙間と同じ高さを有し、
前記第２部分と前記第３部分は左右に隣接する前記平面用タイルの間の隙間と同じ幅を有し、
前記第２部分と第３部分の横方向の間隔は前記平面用タイルの横寸法の１／２の間隔であることを特徴とする請求項６に記載の皮革製タイルの貼付用キット。
【考案の詳細な説明】
【技術分野】
【０００１】
本考案は皮革製タイルの貼付用キットに関する。
【背景技術】
【０００２】
従来、皮革製のタイルとして、特許文献１には、革の裏面に接着剤を塗布してテープでシールしたものが提案されている。この皮革製タイルはテープを剥がして室内の柱や壁に貼りつけるようになっている。タイルの表面には、種々のデザインが施され、重厚感と暖かみがあり、手触感が心地良いものとされている。また、特許文献２には、半仕上げの革タイルに所望の形状の貫通孔を設け、この貫通孔を硬化樹脂で満たして、厚さを均一にした革タイルが提案されている。
【０００３】
皮革製タイルは、例えば柱や壁のコーナー部に貼り付ける場合、コーナー部に沿って皮革製タイルを曲げる必要がある。この場合、皮革が厚い場合は、皮革の腰の強さや接着剤に生じる皺によって曲げが保持できず、弾性で元に戻ろうとする結果、コーナー部に押し付けても、接着剤が剥がれるので、コーナー部には貼り付けが困難であるという問題があった。
【０００４】
また、従来の皮革製タイルを煉瓦積みで貼り付ける場合、下段の貼り付け済みの２つのタイルの間の隙間が上段のタイルの中心に位置するとともに、下段のタイルとの間に一定の隙間を設けなければならず、位置決めが難しいという問題もあった。
【先行技術文献】
【特許文献】
【０００５】
【特許文献１】実用新案登録第３０２６１９７号明細書
【特許文献２】特開２００４−１６０９９８号公報
【考案の概要】
【考案が解決しようとする課題】
【０００６】
本考案は、斯かる従来の問題点に鑑みてなされたもので、柱や壁のコーナー部にも容易に貼り付けることができ、また煉瓦積みの場合の位置決めを容易行うことができる皮革製タイルの貼付用キットを提供することを課題とする。
【課題を解決するための手段】
【０００７】
この課題を解決するために、本考案に係る皮革製タイルの貼付用キットは、皮革又は合成皮革からなるコーナー用タイルと、前記コーナー用タイルの裏面に接着される固着シート材と、皮革又は合成皮革からなるタイル本体の裏面に固着シートが接着された平面用タイルと、前記コーナー用タイルが曲げられた状態で、前記コーナー用タイルの一端に係止する第１係止部と他端に係止する第２係止部を有する曲げ保持具とを備える。
前記固着シート材及び前記固着シートは両面テープでもよいし、マグネットシートでもよい。
【０００８】
コーナー用タイルを貼り付けようとするコーナー部に合わせて曲げ、一端を曲げ保持具の第１係止部に係止し、他端を曲げ保持具の第２係止部に係止して、曲がった状態のコーナー用タイルの裏面に固着シート材を接着すると、曲がった状態のままコーナータイルをコーナー部に貼り付けることができる。
【０００９】
前記コーナー用タイルの裏面の縦の中心線上又は当該中心線と平行に少なくとも１つの弱め溝が形成されていることがこのましい。この弱め用溝により、コーナー用タイルの曲げが容易になる。
【００１０】
前記曲げ保持具は、Ｌ字形で、一端に前記第１係止部が設けられ、他端に前記第２係止部が設けられていることが好ましい。
曲げ保持具がＬ字形であるので、コーナー用タイルの裏面を完全に露出した状態で曲げ保持具に装着することができるので、固着シート材を容易に接着することができる。
【００１１】
前記曲げ保持具の少なくとも一部が、前記コーナー用タイルが貼り付けられる箇所のコーナー部に倣って塑性変形可能な板金を有することが好ましい。
これにより、コーナー部に合わせた曲率に板金を変形させることができるので、コーナー部の曲率と同じ曲げ状態にコーナー用タイルを保持することができる。
【００１２】
前記平面用タイルの裏面又は端面の中心線上に位置決めマーキングが設けられている
ことが好ましい。
煉瓦積みした下段の平面用タイルの上に平面用タイルを煉瓦積みする場合、上段の平面用タイルの位置決めマーキングを下段の２つの平面用タイルの間の隙間に合わせるか、あるいは下段の平面用タイルの位置決めマーキングに上段の平面用タイルの一端を合わせることにより、上段の平面用タイルを容易に位置決めすることができる。
【００１３】
前記平面用タイルを煉瓦積みするときに前記平面用タイルを位置決めする位置決め具をさらに備えることが好ましい。
【００１４】
前記位置決め具は、基部と、前記基部の裏面に形成され、上段と下段の前記平面用タイルの間の隙間と同じ高さの水平に延びる突条とからなり、前記基部の表面に、前記平面用タイルの横寸法の１／２の間隔の２つの位置決め線が設けられていてもよい。
煉瓦積みした下段の平面用タイルの上に平面用タイルを煉瓦積みする場合、下段の平面用タイルの上端面に位置決め部の突条を合わせ、下段の２つの平面用タイルの間の隙間に位置決め具の一方の位置決め線を合わせ、他方の位置決め線に上段の平面用タイルの一端を合わせることにより、上段の平面用タイルを容易に位置決めすることができる。
【００１５】
また、前記位置決め具は、水平方向に延びる第１部分と、前記第１部分の下側に垂直方向に延びる第２部分と、前記第１部分の上側に垂直方向に延びる第３部分とが設けられ、前記第１部分は上段と下段の前記平面用タイルの間の隙間と同じ高さを有し、前記第２部分と前記第３部分は左右に隣接する前記平面用タイルの間の隙間と同じ幅を有し、前記第２部分と第３部分の横方向の間隔は前記平面用タイルの横寸法の１／２の間隔であるようにしてもよい。
煉瓦積みした下段の平面用タイルの上に平面用タイルを煉瓦積みする場合、下段の平面用タイルの上端に位置決め具の第１部分を当てるとともに、下段の２つの平面用タイルの間の隙間に位置決め具の第２部分を嵌めて、位置決め具の第３部分に上段の平面用タイルの一端を当てることにより、上段の平面用タイルを容易に位置決めすることができる。
【考案の効果】
【００１６】
本考案によれば、コーナー部に合わせて曲がった状態のコーナー用タイルの裏目に固着シート材を接着してから、柱や壁のコーナー部に貼り付けるので、剥がれたりすることなく、コーナー部に容易に貼り付けることができる。
また、煉瓦積みの場合、下段の平面用タイルの上に上段の平面用タイルの位置決めを容易行うことができるという効果を有している。
【図面の簡単な説明】
【００１７】
【図１】本考案の皮革製タイルの貼付用キットの斜視図。
【図２】本考案の皮革製タイルの貼付け例を示す斜視図。
【図３】弱め溝を有するコーナー用タイルの斜視図。
【図４】曲げ保持具でコーナー用タイルを曲げた状態に保持した状態を示す斜視図。
【図５】曲げ保持具で保持したコーナー用タイルに固着シート材を接着する状況を示す側面図。
【図６】曲げ保持具の他の実施例を示す斜視図。
【図７】図６の曲げ保持具でコーナー用タイルを曲げた状態に保持する状況を示す斜視図。
【図８】位置決めマーキングが設けられた平面用タイルの斜視図。
【図９】図８の位置決めマーキングが設けられた平面用タイルを位置決めする状況を示す正面図。
【図１０】位置決め具の第１実施例を示す斜視図。
【図１１】図１０の位置決め具を用いて平面用タイルを位置決めする状況を示す正面図。
【図１２】位置決め具の第２実施例を示す斜視図。
【図１３】図１２の位置決め具を用いて平面用タイルを位置決めする状況を示す正面図。
【考案を実施するための形態】
【００１８】
以下、本考案の実施形態を添付図面に従って説明する。
【００１９】
図１は、本考案に係る皮革製タイルの貼付用キット１の構成部材を示す。このキット１は、コーナー用タイル２と、固着シート材３と、平面用タイル４と、曲げ保持具５とで構成されている。なお、コーナー用タイル２と固着シート材３は貼付箇所のコーナー部の範囲に応じて必要な数だけ複数枚用意される。平面用タイル４も、貼付箇所の平面部の大きさに応じて必要な数だけ複数枚用意される。曲げ保持具５は少なくとも１枚あればよく、コーナー用タイル２の数だけ用意する必要はない。
【００２０】
コーナー用タイル２は、皮革又は合成皮革からなる。コーナー用タイル２は、厚さ０．４〜３．２ｍｍの矩形で、実施例では、縦５０ｍｍ、横１２０ｍｍ、厚さ３．２ｍｍであり、４つの角部は丸く面取りされている。コーナー用タイル２の表面は、塗装、艶出し、撥水加工の後、型押しにより各種の凹突模様が形成されている。コーナー用タイル２の裏面は、サンドペーパで平滑化（銀むき）されている。コーナー用タイル２の柔軟性は、貼付箇所の被貼付面が曲面でも貼り付けられるような柔軟性を有する。
【００２１】
固着シート材３は、図１では両面テープであるが、マグネットシートでもよい。両面テープとしては、不織布基材のタイル側の接着面に強接着剤、被貼付面側の接着面に再剥離可能な接着剤を使用したものが好ましい。マグネットシートとしては、片面着磁型の等方性マグネットシートが好ましいが、異方性マグネットシートでもよい。固着シート材３は、コーナー用タイル２と同じ形状でもよいが、コーナー用タイル２の外形より小さくてもよい。
【００２２】
平面用タイル４は、皮革又は合成皮革からなるタイル本体４ａの裏面に予め固着シート４ｂが接着されたものである。タイル本体４ａは、コーナー用タイル２と同じ形状を有し、表面と裏面はコーナー用タイル２と同じ加工が施されている。タイル本体４ａの裏面の固着シート４ｂは、コーナー用タイル２に接着される固着シート材３と同じ材質・性状の両面テープ又はマグネットシートからなり、タイル本体４ａの裏面に接着されている。固着シート４ａは、タイル本体の全面に接着してもよいが、部分的でもよい。両面テープの場合は、接着面に離型紙が設けられ、この離型紙を剥がして使用する。
【００２３】
曲げ保持具５は、金属又は合成樹脂からなるＬ字形の板で形成されている。曲げ保持具５は、真直な第１部分６と、該第１部分６と直角方向に延びる真直な第２部分７とからなる。第２部分７は第１部分１より短いが、同じ長さでもよい。曲げ保持具５の内側の角部８は半径Ｒの円弧で形成されている。曲げ保持具５の一端、すなわち、第１部分６の内側端面の先端には、コーナー用タイル２の長手方向の一端が係止する第１係止部９が設けられている。同様に、曲げ保持具５の他端、すなわち、第２部分７の内側端面の先端には、コーナー用タイル２の長手方向の他端が係止する第２係止部１０が設けられている。コーナー用タイル２を貼付箇所のコーナー部に合わせて曲げた状態で、コーナー用タイル２の一端が第１係止部分９に係止し、他端が第２係止部１０に係止できるように、曲げ保持具５の内側端面に沿った第１係止部９と第２係止部１０の間の距離Ｌが設定されている。なお、曲げ保持具５は、コーナー用タイル２を保持したときに変形しない程度の剛性を有するように、板厚と幅が決められている。
【００２４】
曲げ保持具５は、Ｒ寸法の異なる複数のものを用意してもよいし。ユーザの要求に応じたＲ寸法を有するものとしてもよい。また、曲げ保持具５は、コーナー用タイル２の曲げ位置（中央又は端寄り）に応じて第１部分６と第２部分７の長さが異なる複数のものを用意してもよいし、ユーザの要求に応じた第１部分６と第２部分７の長さを有するものとしてもよい。
【００２５】
以上の構成部材からなる本考案の皮革製タイルの貼付用キット１は、図２に示すように、柱１１の一部に貼り付けて、リメイクしたり、傷や穴・汚れの目隠し、あるいはペットによる引っ掻き傷を予防するものとして使用することができる。そのほか、ドア、壁、階段の蹴込み板、家具の表面等の建物内装材として使用できるし、車の内装材、パソコン等の電子機器のクッションや装飾としても使用できる。
【００２６】
本考案の皮革製タイルの貼付用キット１を使用して、皮革製タイルを図２に示す柱１１の被貼付面に貼り付ける場合、コーナー部１２に貼り付けるときのタイルの曲げ、平面部１３に煉瓦積みするときの中心の位置決めが必要となる。
【００２７】
＜コーナー用タイルの曲げ＞
まず、コーナー部１２にコーナー用タイル２を貼り付ける場合について説明する。コーナー用タイル２には、裏面に図３に示すような弱め溝１４を縦の中心線Ｃに平行に形成して、曲げ易くしておくことが好ましい。縦の中心線Ｃに平行に複数の弱め溝１４を一定間隔で形成してもよい。
【００２８】
図４に示すように、コーナー用タイル２の裏面を図２のような貼付箇所の凸のコーナー部１２に当てて曲げ、コーナー用タイル２の表面に曲げ保持具５を当て、コーナー用タイル２の一端を曲げ保持具５の第１係止部９に係止し、他端を曲げ保持具５の第２係止部１０に係止する。続いて、図５に示すように、コーナー用タイル２の裏面に固着シート材３を接着する。コーナー用タイル２は曲げ保持具５により曲がった状態に保持されているので、固着シート材３を容易に接着することができる。
【００２９】
固着シート材３を貼り付けたコーナー用タイル２は、曲げ保持具５を装着したまま、貼付箇所のコーナー部１２に貼り付けることができるが、曲げ保持具５を外してからでもよい。このように、曲がった状態のコーナー用タイル２の裏面に固着シート材３を接着してから、コーナー部１２に貼り付けるので、剥がれたりすることなく、コーナー部１２に容易に貼り付けることができる。
【００３０】
図６は、他の実施例の曲げ保持具５Ａを示す。この曲げ保持具５Ａは、手で容易に曲げて塑性変形させることができるブリキ、トタン等の軟鉄性の板金からなり、細長い板状に形成されている。曲げ保持具５Ａの一端には、コーナー用タイル２の長手方向の一端が係止する第１係止部１５が設けられている。同様に、曲げ保持具５Ａの他端には、コーナー用タイル２の長手方向の他端が係止する第２係止部１６が設けられている。第１係止部１５は、曲げ保持具５Ａの一端を９０°又は１８０°曲げて変形させてあり、第２係止部１６は曲げ保持具５Ａの幅より細い幅で、曲げ保持具５Ａの長手方向に延びている。曲げ保持具５Ａは、曲げてコーナー用タイル２を保持したときに元に戻らない程度の剛性を有することが好ましい。
【００３１】
図６の曲げ保持具５Ａを用いる場合、まず、図７（ａ）示すように、曲げ保持具５Ａをコーナー用タイル２の表面に長手方向に沿わせて当て、コーナー用タイル２の一端を曲げ保持具５Ａの第１係止部１６に係止する。この状態で、コーナー用タイル２を貼付箇所のコーナー部１２に押し当て、コーナー部１２に合わせて曲げ保持具５Ａとコーナー用タイル２を曲げる。コーナー用タイル２を曲げた状態で、曲げ保持具５Ａの第２係止部１６を９０°曲げて、コーナー用タイル２の端部に係止する。これにより、コーナー用タイル２は曲げ保持部５Ａに曲がった状態で保持される。続いて、コーナー用タイル２の裏面に固着シート材３を接着するが、この作業は図５で説明した曲げ保持具５の場合と同様である。固着シート材３を貼り付けたコーナー用タイル２のコーナー部１２への貼り付け作業は、曲げ保持具５Ａを外してからでもよいし、曲げ保持具５Ａを装着したままでもよい。曲げ保持具５Ａを装着したままにする場合は、第２係止部１０を元に戻して貼付箇所に当たらないようにしておくことが好ましい。
【００３２】
貼付箇所が図２に示すような凹のコーナー部１２ａである場合は、図４の曲げ保持具５にコーナー用タイル２の表面が凹になり、裏面が凸になるように曲げて保持すればよい。また、図６の曲げ保持具５Ａは図７とは逆に、コーナー用タイル２の表面が凸になるように、曲げて保持すればよい。
【００３３】
＜平面用タイルの位置決め＞
平面用タイル４の煉瓦積みにおいては、貼付箇所に貼り付けた１段目の平面用タイル４の上に２段目及びそれ以上の段の平面用タイル４を貼り付ける付けるときに、１段目の２つの平面用タイル４の間に２段目の平面用タイル４の中心が位置するように位置決めする。この平面用タイル４の位置決めには、位置決めマーキングが付された平面用タイル４Ａを使用するか、位置決め具１７Ａ又は１７Ｂを使用する。平面用タイル４Ａは図１の皮革製タイルの貼付用キット１の平面用タイル４の代わりに用いる。位置決め具１７Ａ又は１７Ｂは、図１の皮革製タイルの貼付用キットに含めることができる。  
【００３４】
図８は、位置決めマーキングが付された平面用タイル４Ａを示す。この平面用タイル４Ａは、タイル本体４ａの裏面に、縦の中心線Ｃ上に位置決め溝１８が形成されている。位置決め溝１８の代わりに、縦の中心線Ｃ上の上下の角に切り欠き１９を形成したり、上下の端面に線や記号等の着色したマーク２０を施してもよい。
【００３５】
図８の位置決め溝１８が形成された平面用タイル４Ａを用いる場合、図９に示すように、下段の貼り付けられた２つの平面用タイル４Ａの間の隙間に上段の平面用タイル４Ａの位置決め溝１８を合わせて位置決めすることができる。下段の平面用タイル４Ａの位置決めマーキング１８に上段の平面用タイル４Ａの一端を合わせてもよい。
【００３６】
図１０は、第１実施例の位置決め具１７Ａを示す。この位置決め具１７Ａは、平面用タイル４と同様の皮革又は合成皮革でもよいが、金属又は合成樹脂でもよい。位置決め具１７Ａは、平面用タイル４と横の寸法がほぼ同じであるが、縦の寸法が短い形状の基部２１を有する。基部２１の裏面の上端に長手方向に延びる突条２２が形成されている。突条２２の突出寸法ｔは、平面用タイル４の厚さと同じであり、突条２２の高さ寸法ｈは上段と下段の２つの平面用タイル４の間の隙間Ｓ１と同じである。位置決め具１７Ａの表面には、第１と第２の２つの位置決め線２３ａ，２３ｂが設けられている。位置決め線２３ａ，２３ｂは、溝でもよいし、罫書き線、着色した線でもよい。２つの位置決め線２３ａ，２３ｂの間隔は、平面用タイル４の横寸法Ｌ（図１１参照）の１／２となっている。
【００３７】
図１０の位置決め具１７Ａを用いる場合、図１１に示すように、下段に貼り付けられた２つの平面用タイル４の上端面に位置決め治具１７Ａの突条２２を載せる。次に、位置決め治具１７Ａの右側の第１の位置決め線２３ａが下段の右側の平面用タイル４の左端に一致するように合わせる。この状態で、上段の平面用タイル４の下端を位置決め具１７Ａの突条２１に載せ、上段の平面用タイル４の左端が位置決め治具１７Ａの左側の第２の位置決め線２３ｂに一致するように位置決めし、この状態で平面用タイル４を貼付箇所に押し当てて貼り付けることができる。
【００３８】
なお、第１の位置決め線２３ａを下段の左側の平面用タイル４の右端に一致するようにしてもよい。この場合、２つの位置決め線２３ａ，２３ｂの間隔は、平面用タイルの横寸法Ｌの１／２から２つの平面用タイル４の隙間Ｓ２の１／２を引いた寸法にする。
【００３９】
図１２は、第２実施例の位置決め具１７Ｂを示す。この位置決め具１７Ｂは、水平方向に延びる第１部分２４と、該第１部分２４の下側に垂直方向に延びる第２部分２５と、第１部分２４の上側に垂直方向に延びる第３部分２６とからなっている。第１部分２４、第２部分２５、第３部分２４の厚さ寸法ｔは、平面用タイル４の厚さと同じであり、第１部分２４の高さｈは、上段と下段の２つの平面用タイル４の間の隙間Ｓ１と同じであり、第２部分２５、第３部分２６の幅ｗは、左右に隣接する平面用タイル４の間の隙間Ｓ２と同じである。第２部分２５と第３部分２６の水平方向の間隔は平面用タイル４の横寸法Ｌの１／２の間隔である。
【００４０】
図１２の位置決め具１７Ｂを用いる場合、図１３に示すように、位置決め治具１７Ｂの第２部分２５を下段に貼り付けられた２つの平面用タイル４の隙間Ｓ２に嵌め、下段に貼り付けられた２つの平面用タイル４の上端に位置決め治具１７Ｂの第１部分２４を載せる。次に、この状態で、上段の平面用タイル４の下端を位置決め具１７Ｂの第１部分２４に載せ、上段の平面用タイル４の一端を位置決め治具１７Ｂの第３部分２６に当てるように位置決めし、この状態で平面用タイル４を貼付箇所に押し当てて貼り付けることができる。
【００４１】
本考案は以上の実施形態及び実施例に限るものではなく、実用新案登録請求の範囲に記載された考案の範囲内で適宜変更することができる。
例えば、コーナー用タイルを曲げ半径や曲げ角度によって両端の位置が変化するので、どのような曲げ半径や角度でもコーナー用タイルを保持できるように、曲げ保持具の第１係止部と第２係止部を公知の手段で長手方向にスライド可能にし、ネジ等で固定できるようにしてもよい。
コーナー用タイル及び平面用タイルの大きさ及び形状は、任意であり、貼付箇所に応じて適宜変更することができる。
また、図６の曲げ保持具は、板金で一体に形成しているが、曲げる部分だけ板金で形成してもよい。
【符号の説明】
【００４２】
１  皮革製タイルの貼付用キット
２  コーナー用タイル
２ａ  タイル本体
２ｂ  固着シート
３  固着シート材
４，４Ａ  平面用タイル
５，５Ａ  曲げ保持具
６  第１部分
７  第２部分
８  角部
９  第１係止部
１０  第２係止部
１１  柱（貼付箇所）
１２  コーナー部（被貼付面）
１３  平面部（被貼付面）
１４  弱め溝
１５  第１係止部
１６  第２係止部
１７Ａ，１７Ｂ  位置決め部
１８  位置決め溝
１９  切欠き
２０  マーク
２１  基部
２２  突条
２３ａ，２３ｂ  位置決め線
２４  第１部分
２５  第２部分
２６  第３部分
【図１】
0003213704.tif 000003
【図２】
0003213704.tif 000004
【図３】
0003213704.tif 000005
【図４】
0003213704.tif 000006
【図５】
0003213704.tif 000007
【図６】
0003213704.tif 000008
【図７】
0003213704.tif 000009
【図８】
0003213704.tif 000010
【図９】
0003213704.tif 000011
【図１０】
0003213704.tif 000012
【図１１】
0003213704.tif 000013
【図１２】
0003213704.tif 000014
【図１３】
0003213704.tif 000015